(57)【要約】【課題】ドアに設置する荷物受箱であっても、適切に受領印の押印を提供でき、また、適切に荷物の受け取りを判断することができる荷物受箱を提供する。【解決手段】荷物を配達した際には開閉扉１１を開き、収納部２１を伸ばす。収納部２１は箱状部材２２及び筒状部材２３，２４が入れ子状になっており、例えば箱状部材２２の奥を押すことにより収納部２１が伸びる。収納部２１を伸ばすと、箱状部材２２に設けられている押印部１３が収納部２１内に現れて受領印が押せる状態となるとともに、読取部１４が収納部２１内に現れて荷物の検出を開始し、さらに施錠部１７が開閉扉１１をロック可能な状態となる。配達員は、収納部２１内に現れた押印部１３で伝票などに受領印を押印し、配達する荷物を収納部２１に入れ、開閉扉１１を閉めれば良い。収納部２１を伸ばさないと受領印が得られず、受領印の不正取得を防止することができる。【選択図】図２
2019044553.tif 000002
【特許請求の範囲】
【請求項１】
ドアの一部に設けられた開口部に取り付けられる荷物受箱であって、荷物の収納及び取り出しの際に開閉するとともにロック可能な開閉手段と、前記ドアの内側方向に伸縮可能に形成され荷物を収納する収納手段と、受領印を内蔵した押印手段を有し、前記収納手段が伸ばされたことにより前記押印手段内の受領印が使用可能になることを特徴とする荷物受箱。
【請求項２】
前記収納手段は、伸ばした際に最奥部となる箱状部材と、１または複数の筒状部材とが、縮めた際に入れ子になるように構成されており、前記箱状部材に前記押印手段が設けられていることを特徴とする請求項１に記載の荷物受箱。
【請求項３】
前記収納手段は、伸ばした際に最奥部となる箱状部材と、１または複数の筒状部材とが、縮めた際に入れ子になるように構成されており、最前部となる筒状部材に前記押印手段が設けられていることを特徴とする請求項１に記載の荷物受箱。
【請求項４】
前記開閉手段のロックは、前記収納手段を伸ばすことにより作動し、前記ドアの内側に設けられた解除手段により解除されることを特徴とする請求項１ないし請求項３のいずれか１項に記載の荷物受箱。
【請求項５】
前記収納手段は、伸ばした状態で収納手段内部から前記解除手段を操作可能に構成されていることを特徴とする請求項４に記載の荷物受箱。
【請求項６】
さらに、前記収納手段が伸ばされたことにより少なくとも前記収納手段に収納された荷物を検出する読取手段を有することを特徴とする請求項１ないし請求項５のいずれか１項に記載の荷物受箱。
【請求項７】
前記収納手段は、伸ばした際に最奥部となる箱状部材と、１または複数の筒状部材とが、縮めた際に入れ子になるように構成されており、前記箱状部材に前記読取手段が設けられていることを特徴とする請求項６に記載の荷物受箱。
【請求項８】
ドアの一部に設けられた開口部に取り付けられる荷物受箱であって、荷物の収納及び取り出しの際に開閉するとともにロック可能な開閉手段と、前記ドアの内側方向に伸縮可能に形成され荷物を収納する収納手段と、少なくとも前記収納手段に収納された荷物を検出する読取手段を有し、前記収納手段が展開されたことにより前記読取手段が動作することを特徴とする荷物受箱。
【請求項９】
前記収納手段は、伸ばした際に最奥部となる箱状部材と、１または複数の筒状部材とが、縮めた際に入れ子になるように構成されており、前記箱状部材に前記読取手段が設けられていることを特徴とする請求項８に記載の荷物受箱。
【請求項１０】
外部側から内部側へ貫通する開口部を有し、該開口部に請求項１ないし請求項９のいずれか１項に記載の荷物受箱が設けられていることを特徴とするドア。
【発明の詳細な説明】
【技術分野】
【０００１】
本発明は、配送された荷物を受け取るための荷物受箱と、荷物受箱が設けられたドアに関するものである。
【背景技術】
【０００２】
近年、インターネットを用いた通信販売や物品の交換などが普及し、流通する荷物が増大している。一般に、荷物の配送は配達先に荷物を渡し、受領印を受けて完了する。しかし、配達員が荷物を配達しても、不在などにより荷物を渡せない場合には、配達した荷物を一旦持ち帰り、再配達している。近年、上述のように流通する荷物の増大とともに、再配達する荷物の量も増大し、さらに人手不足も相まって配達員にかかる負荷が増大し、問題となっている。このような問題に対して、再配達を少しでも減少させるため、不在時にも荷物を受け取るための荷物受箱が脚光を浴びている。
【０００３】
荷物受箱としては、屋外に設置するものや、壁面にドアとは別に設置するものもあるが、例えば特許文献１や特許文献２に記載されているように、ドアに開口を設けて設置するものも開発されている。屋外に設置するものでは、簡単に設置できそうではあるが、荷物受箱ごと盗難される危険性があり、例えばコンクリートの打設などの大がかりな工事が必要になる場合がある。また、玄関などの壁面に別途設置する場合には、設置スペースを確保する必要があり、住宅事情によっては設置することができない。ドアに設置する構成では、ドアの開閉に支障を来さないように、折りたたみ式になっている。そのため、それほどの空間を必要とせず、ドアの加工あるいはドアの交換により荷物受箱を設置することができる。
【０００４】
一般に荷物が配達された際には、荷物を受け取ると、受け取ったことを認証するために受取人が伝票に押印あるいはサインする。上述の特許文献１や特許文献２には、そのような構成は設けられていなかった。特許文献３には荷物授受票発行手段が記載されている。しかし、単にそのような手段が存在するだけでは、第三者が伝票あるいは全く無関係の書類に押印して去ってしまい、実際には荷物が配達されていないといった不具合が生じる。また、従来のドアに併設する構成の荷物受箱では、実際に荷物が収納されているか否かや、いつ配達されたかを知る手段がなかった。
【先行技術文献】
【特許文献】
【０００５】
【特許文献１】特開平０７−１０９８７８号公報
【特許文献２】特許第２５４６８１２号公報
【特許文献３】特許第４４４６１０３号公報
【発明の概要】
【発明が解決しようとする課題】
【０００６】
本発明は、上述した事情に鑑みてなされたもので、ドアに設置する荷物受箱であっても、適切に受領印の押印を提供でき、また、適切に荷物の受け取りを判断することができる荷物受箱を提供することを目的とするものである。
【課題を解決するための手段】
【０００７】
本願請求項１に記載の発明は、ドアの一部に設けられた開口部に取り付けられる荷物受箱であって、荷物の収納及び取り出しの際に開閉するとともにロック可能な開閉手段と、前記ドアの内側方向に伸縮可能に形成され荷物を収納する収納手段と、受領印を内蔵した押印手段を有し、前記収納手段が伸ばされたことにより前記押印手段内の受領印が使用可能になることを特徴とする荷物受箱である。
【０００８】
本願請求項２に記載の発明は、本願請求項１に記載の発明における前記収納手段が、伸ばした際に最奥部となる箱状部材と、１または複数の筒状部材とが、縮めた際に入れ子になるように構成されており、前記箱状部材に前記押印手段が設けられていることを特徴とする荷物受箱である。
【０００９】
本願請求項３に記載の発明は、本願請求項１に記載の発明における前記収納手段が、伸ばした際に最奥部となる箱状部材と、１または複数の筒状部材とが、縮めた際に入れ子になるように構成されており、最前部となる筒状部材に前記押印手段が設けられていることを特徴とする荷物受箱である。
【００１０】
本願請求項４に記載の発明は、本願請求項１ないし請求項３のいずれか１項に記載の発明における前記開閉手段のロックは、前記収納手段を伸ばすことにより作動し、前記ドアの内側に設けられた解除手段により解除されることを特徴とする荷物受箱である。
【００１１】
本願請求項５に記載の発明は、本願請求項４に記載の発明における前記収納手段が、伸ばした状態で収納手段内部から前記解除手段を操作可能に構成されていることを特徴とする荷物受箱である。
【００１２】
本願請求項６に記載の発明は、本願請求項１ないし請求項５のいずれか１項に記載の発明の構成に、さらに、前記収納手段が伸ばされたことにより少なくとも前記収納手段に収納された荷物を検出する読取手段を有することを特徴とする荷物受箱である。
【００１３】
本願請求項７に記載の発明は、本願請求項６に記載の発明における前記収納手段は、伸ばした際に最奥部となる箱状部材と、１または複数の筒状部材とが、縮めた際に入れ子になるように構成されており、前記箱状部材に前記読取手段が設けられていることを特徴とする荷物受箱である。
【００１４】
本願請求項８に記載の発明は、ドアの一部に設けられた開口部に取り付けられる荷物受箱であって、荷物の収納及び取り出しの際に開閉するとともにロック可能な開閉手段と、前記ドアの内側方向に伸縮可能に形成され荷物を収納する収納手段と、少なくとも前記収納手段に収納された荷物を検出する読取手段を有し、前記収納手段が展開されたことにより前記読取手段が動作することを特徴とする荷物受箱である。
【００１５】
本願請求項９に記載の発明は、本願請求項８に記載の発明における前記収納手段は、伸ばした際に最奥部となる箱状部材と、１または複数の筒状部材とが、縮めた際に入れ子になるように構成されており、前記箱状部材に前記読取手段が設けられていることを特徴とする荷物受箱である。
【００１６】
本願請求項１０に記載の発明は、外部側から内部側へ貫通する開口部を有し、該開口部に請求項１ないし請求項９のいずれか１項に記載の荷物受箱が設けられていることを特徴とするドアである。
【発明の効果】
【００１７】
本発明によれば、収納手段を伸ばさなければ受領印を押印できないことから、押印のみを目的とした不正使用を防止することができ、ドアに設置する伸縮自在の荷物受箱であっても、適切な受領印の押印を提供することができるという効果がある。また、収納手段が伸ばされてから少なくとも荷物の検出を行うので、必要なときに適切に、収納される荷物を検知することができる。
【図面の簡単な説明】
【００１８】
【図１】本発明の第１の実施の形態を含む構成の一例を示す正面図及び背面図である。
【図２】本発明の第１の実施の形態を含む構成の一例を示す要部断面図である。
【図３】収納部の一例の要部外観図である。
【図４】本発明の第２の実施の形態を示す要部断面図である。
【図５】本発明の第３の実施の形態を示す要部断面図である。
【発明を実施するための形態】
【００１９】
図１は、本発明の第１の実施の形態を含む構成の一例を示す正面図及び背面図、図２は、同じく要部断面図である。図中、１はドア、２は荷物受箱、１１は開閉扉、１２は取っ手、１３は押印部、１４は読取部、１５はケーブル、１６はスライドレール、１７は施錠部、１８は解錠つまみ、２１は収納部、２２は箱状部材、２３，２４は筒状部材である。
【００２０】
ドア１の一部には開口が設けられ、その開口に荷物受箱２が設置されている。設置されている荷物受箱２は、ドア１の外部側から引き抜けず、また外部側から押して内側に外れないように取り付けられる。これにより、荷物受箱２を取り外して内部へ侵入するのを防ぐ。
【００２１】
荷物受箱２は、開閉扉１１と収納部２１を含み、収納部２１は伸縮可能に構成されている。開閉扉１１は、通常の状態では閉じられており、収納部２１への荷物の収納及び収納部２１に収納されている荷物の取り出しの際に、取っ手１２を把持してドア１の外側（正面側）へ開くことができる。収納部２１に荷物がない状態では、この開閉扉１１はロックされておらず、開閉することができる。開閉扉１１を開き、収納部２１を伸ばした後に開閉扉１１を閉めると、施錠部１７が開閉扉１１をロックする。施錠部１７によりロックされた状態では、開閉扉１１は開けることができない。このロックされた状態は、ドア１の内側に設けられている解錠つまみ１８を操作することにより解除することができる。解錠つまみ１８によるロック解除後は開閉扉１１は開閉自在となり、開閉扉１１を開いて収納部２１に収納されている荷物を取り出すことができる。
【００２２】
施錠部１７は、収納部２１が伸ばされることにより作動して開閉扉１１をロック可能とし、ロック可能な状態で開閉扉１１を閉じると開閉扉１１をロックする。そして、解錠つまみ１８の操作によって開閉扉１１のロックを解除する。施錠部１７及び解錠つまみ１８の構成としては、このような機能を実現する構成であればどのようなものでもよい。一例としては、特許文献１に記載されているロック機構などを用いることができる。別の例としては、電気錠により構成し、収納部２１の伸張によりロック可能とし、収納部２１の収縮及び解錠つまみ１８の操作によりロック解除するように構成しても良い。
【００２３】
収納部２１は、受け取る荷物を収納することができ、上述のようにドア１の内側方向に伸縮可能に形成されている。この例では、収納部２１は箱状部材２２及び筒状部材２３，２４からなり、箱状部材２２と筒状部材２３，２４とは、縮めた状態で入れ子になっている。箱状部材２２と筒状部材２３，筒状部材２３と筒状部材２４はスライドレール１６によりそれぞれ所定の範囲で摺動自在に構成されている。収納部２１に荷物が収納されていない状態で、この収納部２１を縮めておくことにより、ドア１の開閉の際に収納部２１が邪魔にならないようにしている。
【００２４】
荷物を受け取る際には、収納部２１が縮められた状態から、ドア１の屋内側に筒状部材２３及び箱状部材２２を摺動させることにより収納部２１を伸ばすことができ、収納部２１の内容積を増やすことができる。また逆に、荷物を取り出した後や使用しない場合には、収納部２１が伸ばされた状態から、箱状部材２２及び筒状部材２３を摺動させることにより収納部２１を縮めることができる。図２（Ａ）に縮めた状態を、図２（Ｂ）に伸ばした状態を、それぞれ示している。この例では箱状部材２２と入れ子状となる筒状部材が２つの場合を示しているが、これに限らず、筒状部材は１つ以上あれば伸縮可能に構成することができ、例えば１つまたは３つ以上であっても良い。
【００２５】
なお、収納部２１を縮めた状態及び伸ばした状態が維持されるように構成しておくとよく、例えばガイドレール１６に収納部２１を縮めた状態及び伸ばした状態に対応する嵌合部を設けておくと良い。また、収納部２１を縮めた状態から不用意に伸び出さないように係止機構を設けておくと良い。
【００２６】
収納部２１には、収納部２１を伸ばした状態で収納部２１の内部から解錠つまみ１８を操作できるように構成しておくと良い。図３は、収納部の一例の要部外観図である。図中、３１はスリットである。図３では、収納部２１を伸ばした状態でスリット３１の付近を示している。この例では、筒状部材２４の解錠つまみ１８側にスリット３１を設けている。収納部２１内から解錠する場合、このスリット３１を通して解錠つまみ１８を操作し、開閉扉１１を解錠すればよい。
【００２７】
図３の例では、例えば収納部２１に子供が入り込み、開閉扉１１が閉まってロックされ、閉じ込められた場合でも、収納部２１内からスリット３１を通して解錠つまみ１８を操作することにより脱出することができる。
【００２８】
なお、収納部２１を縮めた状態では筒状部材２３，２４及び箱状部材２２が入れ子になっていることから、このスリット３１は筒状部材２３及び箱状部材２２によって閉じられており、開閉扉１１を開いてもドア１の内部を見られることはない。また、収納部２１を伸ばした後はスリット３１は開口となるが、開閉扉１１が閉まることにより、やはりドア１の内部が見られるなど、防犯上の不具合は発生しない。
【００２９】
もちろん、収納部２１内から開閉扉１１のロックを解除する構成はスリットに限られるものではなく、収納部２１内にロック解除ボタンを設けておき、このロック解除ボタンを押下することによってロックが解除されるように構成するなど、種々の構成であって良い。また、ロック解除の方法を収納部２１内に表示しておくとよく、内部が暗いことを考慮して夜光塗料などで表示することも考えられる。
【００３０】
この第１の実施の形態では、箱状部材２２に押印部１３及び読取部１４が設けられている。押印部１３は受領印を内蔵しており、例えば配達員が荷物を配達した際に配送伝票などに押印することができる。この押印部１３は箱状部材２２に設けられていることから、収納部２１が伸ばされることにより押印部１３が収納部２１内に現れ、受領印が使用可能になる。そのため、配達員は荷物を収納するために収納部２１を伸ばすことによって受領印を受けることができるようになる。単に開閉扉１１を開いただけでは受領印を押印することができず、よって、押印のみを目的とした不正使用を防止することができ、適切な受領印の押印を提供している。なお、例えば押印部１３にシャッターを設け、収納部２１が伸ばされるとシャッターが開いて受領印を押印可能となるように構成され、あるいはさらに、受領印を押印後はシャッターが閉じる構成など、押印部１３自体の構成としては様々な構成が適用可能である。
【００３１】
読取部１４は、収納部２１が伸ばされたことにより動作し、少なくとも収納部２１に収納された荷物を検出する。この読取部１４による荷物の検出結果を用いることにより、例えば荷物を受け取った旨や日時などを表示したり、記録したり、あるいは通知することができる。一例として、別途、ランプや表示器を設けて荷物の受け取りを表示したり、印字機能を設けて印字出力したり、通信により外部へ通知してもよい。また、荷物の検出だけでなく、さらに荷物の画像を読み取っても良いし、荷物に貼り付けられている伝票を読み取り、さらに認識して、読み取りデータや認識結果を表示または印字出力し、またはデータとして残し、あるいは外部に転送してもよい。収納部２１内には、読取部１４の読み取り位置を表示しておき、その表示に従って荷物を収納部２１に入れるようにガイドすると良い。
【００３２】
読取部１４の起動は、例えば箱状部材２２と筒状部材２３とが相対的に移動し、伸ばされた状態でスイッチが投入され、起動される構成とすれば良い。あるいは、施錠部１７と連動し、収納部２１が伸ばされたことにより施錠部１７がロック可能な状態になる際の動作により読取部１４が起動されたり、施錠部１７がロック可能となった後に開閉扉１１が閉じられてロックされたことにより起動されても良い。なお、この読取部１４と押印部１３とが連動するように構成しても良く、さらに、読取部１４で荷物を検出すると押印部１３が起動するように構成しても良い。
【００３３】
この例では読取部１４にケーブル１５が接続されており、このケーブル１５を通じて電力が供給される。また、検出結果やデータの外部とのやりとりを行う際に、このケーブル１５を用いても良い。もちろん、ケーブル１５を設けずに電池で駆動する構成でも良い。また、外部とのやりとりを行う場合に、無線により行う構成であって良いことは言うまでもない。
【００３４】
このような荷物受箱２の使用方法の一例について説明しておく。収納部２１に荷物が収納されていない状態では、ドア１の開閉の際に邪魔にならないように、図２（Ａ）に示すように収納部２１を縮めておく。この状態で開閉扉１１は開閉自在であるが、風雨や虫などの侵入を防ぐため通常は閉じた状態を維持している。また、押印部１３及び読取部１４は筒状部材２３，２４に隠れており、開閉扉１１を開いても受領印を押印することはできない。読取部１４も荷物を検出することはない。
【００３５】
配達員が荷物を配達したが不在の場合、配達員は開閉扉１１を開き、収納部２１を伸ばす。例えば箱状部材２２の奥を押すことにより、箱状部材２２及び筒状部材２３がガイドレール１６に沿って内側へ移動し、収納部２１を伸ばすことができる。収納部２１を伸ばしきると、図２（Ｂ）の状態となる。
【００３６】
収納部２１を伸ばすことにより、箱状部材２２に設けられている押印部１３が収納部２１内に現れて受領印が押せる状態となるとともに、読取部１４が収納部２１内に現れ、荷物の検出を開始する。さらに、収納部２１を伸ばすことにより施錠部１７は開閉扉１１をロック可能な状態となる。
【００３７】
配達員は、収納部２１を伸ばしたことにより現れた押印部１３を用いて伝票などに受領印を押印し、配達する荷物を収納部２１に入れる。読取部１４は収納部２１に収納された荷物を検出し、さらに読み取った画像やデータ等を取得する。例えば内部の時計機能により配達された日時を外部へ通知することができる。また、画像撮影できれば荷姿を保存することができる。なお、収納部２１に荷物が収納されている場合に、その旨を表示するように構成しておくと、さらに良い。
【００３８】
配達員が荷物を収納部２１に入れた後、開閉扉１１を閉める。収納部２１を伸ばすことにより施錠部１７は開閉扉１１をロック可能な状態となっていることから、開閉扉１１を閉めることにより、開閉扉１１は施錠部１７によってロックされる。これにより、収納部２１に収納されている荷物が持ち去られるのを防ぐことができる。
【００３９】
帰宅して配達されて収納部２１に収納されている荷物を取り出す際には、ドア１の内側に設けられている解錠つまみ１８を操作し、施錠部１７のロックを解除する。解錠つまみ１８によるロック解除後は開閉扉１１は開閉自在となる。開閉扉１１を開き、配達されて収納部２１に収納されている荷物を取り出せばよい。このようにして、不在時にも荷物を受け取ることができる。
【００４０】
収納部２１から荷物を取り出した後は、収納部２１の箱状部材２２をドア１側へ押し、収納部２１を縮めて図２（Ａ）に示すような状態にしておけばよい。これにより通常のドア１の開閉や出入りをスムースに行うことができる。
【００４１】
上述した第１の実施の形態では、収納部２１に収納されている荷物を取り出す際にはドア１の外側から開閉扉１１を開いて行った。しかしこれに限らず、例えば収納部２１の箱状部材２２に扉を設け、この扉から収納部２１に収納されている荷物を取り出すように構成しても良い。この場合、荷物の取り出しはドア１の内側から行うことができる。
【００４２】
また、上述した第１の実施の形態では、押印部１３及び読取部１４の両方を備えているが、押印部１３あるいは読取部１４のいずれか一方を設けた構成であっても良い。
【００４３】
図４は、本発明の第２の実施の形態を示す要部断面図である。図中の符号は図１及び図２と同様であり、上述の第１の実施の形態と異なる部分について主に説明する。この第２の実施の形態では、収納部２１を構成する箱状部材２２及び筒状部材２３，２４の入れ子を逆にしており、押印部１３を開閉扉１１に近い側に配置した例を示している。
【００４４】
収納部２１は、この例でも入れ子状になっているが、内側から箱状部材２２、筒状部材２３，筒状部材２４の順になっている。縮めた状態では上述の第１の実施の形態とほとんど変わりはない。この例においても、箱状部材２２と筒状部材２３，筒状部材２３と筒状部材２４はスライドレール１６によりそれぞれ所定の範囲で摺動自在に構成されている。収納部２１が縮められた状態から、ドア１の屋内側に筒状部材２３及び箱状部材２２を摺動させることにより収納部２１を伸ばして収納部２１の内容積を増やすことができる。伸ばした状態では、図４（Ｂ）に示すように、奥に行くに従って入れ子の重なり分だけ狭くなる形状となる。
【００４５】
この例においても箱状部材２２と入れ子状となる筒状部材が２つの場合を示しているが、筒状部材は１つ以上であればよく、筒状部材は１つまたは３つ以上であっても良い。また、収納部２１を縮めた状態及び伸ばした状態が維持されるように構成しておくとよく、例えばガイドレール１６に収納部２１を縮めた状態及び伸ばした状態に対応する嵌合部を設けておくと良い。さらに、収納部２１を縮めた状態から不用意に伸び出さないように係止機構を設けておくと良い。さらにまた、収納部２１を伸ばした状態で収納部２１の内部から解錠つまみ１８を操作できる構成を設けておくとよい。
【００４６】
この第２の実施の形態においては、押印部１３は筒状部材２４に設けられている。収納部２１が伸ばされ、筒状部材２４と筒状部材２３及び箱状部材２２との重なりがなくなると押印部１３が収納部２１内に現れ、受領印が使用可能になる。配達員は荷物を収納するために収納部２１を伸ばすことによって受領印を受けることができるようになる。単に開閉扉１１を開いただけでは受領印を押印することができず、よって、押印のみを目的とした不正使用を防止することができ、適切な受領印の押印を提供している。押印部１３の構成は任意であり、収納部２１が伸ばされるとシャッターが開いて受領印を押印可能となるように構成したり、あるいはさらに、受領印を押印後はシャッターが閉じる構成、それらを機械的に行う構成や電気的に行う構成など、様々な構成が適用可能である。
【００４７】
読取部１４については上述の第１の実施の形態と同様に箱状部材２２に設けられているが、収納部２１を縮めた際に筒状部材２３，２４と干渉しないように設けておく。図示の例では、箱状部材２２の内側に取り付けられている。もちろんこれに限らず、箱状部材２２の最奥部に設けたり、あるいは押印部１３とともに筒状部材２４に設けても良い。
【００４８】
読取部１４の起動は、収納部２１が伸ばされることにより行えば良い。あるいは、施錠部１７と連動し、収納部２１が伸ばされたことにより施錠部１７がロック可能に移行する動作により起動されたり、施錠部１７がロック可能となった後に開閉扉１１が閉じられてロックされたことにより起動されても良い。なお、この読取部１４と押印部１３とが連動するように構成しても良く、さらに、読取部１４で荷物を検出すると押印部１３が起動するように構成しても良い。
【００４９】
この第２の実施の形態における荷物受箱２の使用方法については、ほぼ上述の第１の実施の形態と同様である。収納部２１を伸ばした際に、上述の第１の実施の形態に比べて押印部１３が収納部２１の開閉扉１１寄りに現れる。従って、配達員は荷物を収納部２１に入れる前でなくても、荷物を収納部２１に入れた後でも伝票に受領印を押印することができる。
【００５０】
この第２の実施の形態においても、荷物を取り出す際の扉を箱状部材２２に設けるなど、種々の変形が可能である。また、押印部１３あるいは読取部１４のいずれか一方を設けた構成であっても良い。
【００５１】
図５は、本発明の第３の実施の形態を示す要部断面図である。図中の符号は図１及び図２と同様であり、上述の第１及び第２の実施の形態と異なる部分について主に説明する。この第３の実施の形態では、押印部１３が収納部２１とは別に設けられている。
【００５２】
この押印部１３は、挿入口から伝票などを挿入することにより受領印を押印する。この場合も、収納部２１が伸ばされることによって押印部１３は押印可能となる。例えば、収納部２１が伸ばされて読取部１４が起動するとともに押印部１３が起動するように構成するほか、読取部１４が荷物を検出すると押印部１３による押印が可能になるように構成することができる。あるいは、収納部２１が伸ばされて施錠部１７が開閉扉１１を施錠可能になると押印部１３が押印可能となるように構成しても良い。
【００５３】
いずれの場合も、単に開閉扉１１を開いただけでは受領印を得ることはできず、収納部２１が伸ばされた後でないと受領印を得ることができない。これによって、押印のみを目的とした不正使用を防止することができ、適切な受領印の押印を提供している。
【００５４】
図５に示した例では押印部１３は開閉扉１１の内側に設けられている。これにより挿入口を保護することができる。もちろん、押印部１３が開閉扉１１の外側に設けられてもよく、その場合でも不正な押印を防ぐことができる。
【００５５】
なお、収納部２１の構成については上述の第１の実施の形態で示したように箱状部材２２が外側となり筒状部材２３，２４が内側となる入れ子構造であっても、第２の実施の形態で示したように箱状部材２２が内側となり筒状部材２３，２４が外側となる入れ子構造であっても良い。もちろん、筒状部材は１つ以上であればよく、筒状部材が１つまたは３つ以上であっても良い。また、この第３の実施の形態においても、上述の第１及び第２の実施の形態で述べた種々の変形が可能であることは言うまでもない。
【００５６】
この第３の実施の形態における荷物受箱２の使用方法についても、ほぼ上述の第１及び第２の実施の形態と同様である。開閉扉１１を開いて収納部２１を伸ばした後、荷物を収納部２１に入れ、伝票を押印部１３に挿入して受領印を受け、開閉扉１１を閉めれば良い。
【符号の説明】
【００５７】
１…ドア、２…荷物受箱、１１…開閉扉、１２…取っ手、１３…押印部、１４…読取部、１５…ケーブル、１６…スライドレール、１７…施錠部、１８…解錠つまみ、２１…収納部、２２…箱状部材、２３，２４…筒状部材、３１…スリット。
【図１】
2019044553.tif 000003
【図２】
2019044553.tif 000004
【図３】
2019044553.tif 000005
【図４】
2019044553.tif 000006
【図５】
2019044553.tif 000007